(57)【要約】【課題】セキュリティ装置のセキュリティを更に高めること【解決手段】安全装置、例えばセキュリティスレッドは支持基板上で金属セキュリティ特徴部と金属／磁気セキュリティ特徴部とを組み合わせることによって設けられた多数のセキュリティ検出特徴部を使用している。このセキュリティ検出特徴部は基本的には離散的金属／磁気インデックスと離散的金属または金属ドットで形成されたインデックスとの任意の繰り返しパターンを含む。セキュリティ検出特徴部は支持基板の長手方向に沿って延びる少なくとも１つの金属ストリップおよび／または基板の少なくとも１つの表面の金属のない部分に位置する複数の金属ドットも含むことができる。【選択図】図１
2004532757.tif 000002
【特許請求の範囲】
【請求項１】
（ａ）所定の長さを有する支持基板と、
（ｂ）前記支持基板の少なくとも１つの表面に配置されたセキュリティ検出特徴部とを備え、該セキュリティ検出特徴部が、
（ｉ）離散的金属／磁気インデックスと、
離散的金属または金属ドットから形成されたインデックスの任意の繰り返しパターンと、
（ｉｉ）前記支持基板の長手方向に沿って延びる任意の少なくとも１つの金属ストリップと、
（ｉｉｉ）前記支持基板のストリップ１つの表面に形成された任意の複数の金属ドットとを含む、金属／磁気セキュリティ装置。
【請求項２】
前記支持基板が透明支持フィルムである、請求項１記載の金属／磁気セキュリティ装置。
【請求項３】
前記離散的金属／磁気インデックスが幾何学的形状、文字、番号、アルファニューメリックキャラクタおよび記号のうちの少なくとも１つを含む、請求項１記載の金属／磁気セキュリティ装置。
【請求項４】
前記離散的金属または金属ドットから形成されたインデックスが文字、番号、アルファニューメリックキャラクタ、記号および透明なインデックスを囲み、このインデックスを構成する金属または金属ドットの領域のうちの１つを含む、請求項１記載の金属／磁気セキュリティ装置。
【請求項５】
離散的金属／磁気インデックスおよび離散的金属または金属ドットで形成されたインデックスが、前記支持基板の少なくとも１つの表面の長手方向に延びる繰り返しパターンを形成する、請求項１記載の金属／磁気セキュリティ装置。
【請求項６】
前記セキュリティ検出特徴部が前記支持基板の少なくとも１つの表面の長手方向に沿って延びる少なくとも１つの金属ストリップを更に含む、請求項１記載の金属／磁気セキュリティ装置。
【請求項７】
少なくとも１つの金属／磁気インデックスの少なくとも１つの部分が少なくとも１つの金属ストリップの少なくとも一部にオーバーラップしている、請求項６記載の金属／磁気セキュリティ装置。
【請求項８】
前記セキュリティ検出特徴部が前記支持基板の少なくとも１つの表面の頂部領域および底部領域に沿って長手方向に延びる第１および第２金属ストリップを更に含む、請求項６記載の金属／磁気セキュリティ装置。
【請求項９】
前記セキュリティ検出特徴部が前記支持基板の少なくとも１つの表面のうちの、金属のない他の領域に位置する複数の金属ドットを更に含む、請求項１記載の金属／磁気セキュリティ装置。
【請求項１０】
前記金属／磁気インデックスが多層の金属／磁気インデックスであり、この金属／磁気インデックスが前記支持基板に配置された金属層と、該金属層に配置された磁気層とを含む、請求項１記載の金属／磁気セキュリティ装置。
【請求項１１】
前記多層の金属／磁気インデックスが前記磁気層に配置された第２金属層を含む、請求項１０記載の金属／磁気セキュリティ装置。
【請求項１２】
前記離散的金属または金属のドットで形成されたインデックスが固体金属によって形成されている、請求項１記載の金属／磁気セキュリティ装置。
【請求項１３】
前記離散的金属または金属のドットで形成されたインデックスが複数の接近する金属ドットによって形成されている、請求項１記載の金属／磁気セキュリティ装置。
【請求項１４】
（ａ）所定の長さを有する支持基板と、
（ｂ）前記支持基板の少なくとも１つの表面に配置されたセキュリティ検出特徴部とを備え、該セキュリティ検出特徴部が、
（ｉ）幾何学的形状の形態をした離散的金属／磁気インデックスと、
文字、番号、アルファニューメリックキャラクタおよび記号のうちの少なくとも１つを含む、離散的な金属または金属ドットで形成されたインデックスとの任意の繰り返しパターンと、
（ｉｉ）前記支持基板の長手方向に沿って延びる少なくとも１つの金属ストリップと、
（ｉｉｉ）前記支持基板のストリップ１つの表面に形成された任意の複数の金属ドットとを含む、金属／磁気セキュリティ装置。
【請求項１５】
前記支持基板が透明支持フィルムである、請求項１４記載の金属／磁気セキュリティ装置。
【請求項１６】
離散的金属／磁気インデックスおよび離散的金属または金属ドットで形成されたインデックスが、前記支持基板の少なくとも１つの表面の長手方向に延びる繰り返しパターンを形成する、請求項１４記載の金属／磁気セキュリティ装置。
【請求項１７】
少なくとも１つの金属／磁気インデックスの少なくとも１つの部分が少なくとも１つの金属ストリップの少なくとも一部にオーバーラップしている、請求項１４記載の金属／磁気セキュリティ装置。
【請求項１８】
前記セキュリティ検出特徴部が前記支持基板の少なくとも１つの表面の頂部領域および底部領域に沿って長手方向に延びる第１および第２金属ストリップを更に含む、請求項１４記載の金属／磁気セキュリティ装置。
【請求項１９】
前記セキュリティ検出特徴部が前記支持基板の少なくとも１つの表面のうちの、金属のない他の領域に位置する複数の金属ドットを更に含む、請求項１４記載の金属／磁気セキュリティ装置。
【請求項２０】
前記金属／磁気インデックスが多層の金属／磁気インデックスであり、この金属／磁気インデックスが前記支持基板に配置された金属層と、該金属層に配置された磁気層とを含む、請求項１４記載の金属／磁気セキュリティ装置。
【請求項２１】
前記多層の金属／磁気インデックスが前記磁気層に配置された第２金属層を含む、請求項２０記載の金属／磁気セキュリティ装置。
【請求項２２】
前記離散的金属または金属のドットで形成されたインデックスが固体金属によって形成されている、請求項１４記載の金属／磁気セキュリティ装置。
【請求項２３】
前記離散的金属または金属のドットで形成されたインデックスが複数の接近する金属ドットによって形成されている、請求項１４記載の金属／磁気セキュリティ装置。
【請求項２４】
（ａ）所定の長さを有する支持基板と、
（ｂ）前記支持基板の少なくとも１つの表面に配置されたセキュリティ検出特徴部とを備え、該セキュリティ検出特徴部が、
（ｉ）文字、番号、アルファニューメリックキャラクタおよび記号のうちの少なくとも１つを含む、離散的な金属／磁気インデックスと、
（ｉｉ）透明なインデックスを囲み、これらインデックスを更新する金属または金属ドット領域の形態をした離散的金属または金属ドットで形成されたインデックスとの任意の繰り返しパターンを含む、金属／磁気セキュリティ装置。
【請求項２５】
前記支持基板が透明支持フィルムである、請求項２４記載の金属／磁気セキュリティ装置。
【請求項２６】
離散的金属／磁気インデックスおよび離散的金属または金属ドットで形成されたインデックスが、前記支持基板の少なくとも１つの表面の長手方向に延びる繰り返しパターンを形成する、請求項２４記載の金属／磁気セキュリティ装置。
【請求項２７】
前記金属／磁気インデックスが多層の金属／磁気インデックスであり、これら金属／磁気インデックスが前記支持基板に配置された第１金属層と、該第１金属層に配置された磁気層とを含む、請求項２４記載の金属／磁気セキュリティ装置。
【請求項２８】
前記多層の金属／磁気インデックスが前記磁気層に配置された第２金属層を含む、請求項２７記載の金属／磁気セキュリティ装置。
【請求項２９】
前記離散的金属または金属のドットで形成されたインデックスが固体金属によって形成されている、請求項２４記載の金属／磁気セキュリティ装置。
【請求項３０】
前記離散的金属または金属のドットで形成されたインデックスが複数の接近する金属ドットによって形成されている、請求項２４記載の金属／磁気セキュリティ装置。
【発明の詳細な説明】
【技術分野】
【０００１】
本願は１９９７年１２月２日に出願された米国仮特許出願第60/067,228号の利益を享受する、１９９８年１２月１日に出願された米国特許出願第09/203,449号の一部継続出願であり、上記いずれの出願も全体を本明細書の参考例として援用する。本願は１９９９年１０月２日に出願された米国仮特許出願第60/158,282号の利益を享受する、２０００年１０月６日に出願された米国特許出願第09/684,851号の一部継続出願でもあり、上記いずれの出願も全体を本明細書の参考例として援用する。
【０００２】
本発明は、有益な物品内または有益な物品と共に使用される、セキュリティ装置に関し、特に金属および金属／磁気領域を含む多数のセキュリティ検出特徴部を有するセキュリティスレッドに関する。
【背景技術】
【０００３】
文書の本体内に種々の形態をしたセキュリティ特徴部を設けることによって、安全文書または機器は偽造をしにくくなることが知られている。実際に文書または機器のセキュリティまたは保全性は、これらに使用される分離した別個のセキュリティ特徴部の数が多くなるにつれ高まる。
【０００４】
多くのセキュリティ書類およびその他の価値ある物品は文書の上または文書内に配置されたセキュリティ装置または要素、例えばセキュリティスレッドを含む。このセキュリティ装置は一般に１つ以上のセキュリティ特徴部、例えば金属製、磁気、Ｘ線吸収性および／または発光性セキュリティ特徴部を含み、これら特徴部はセキュリティ書類を認証し、偽造を防止したり、偽造をしにくくするように働く。
【０００５】
一般的なタイプのセキュリティスレッドはプラスチックの支持基板に配置された金属から形成されたキャラクタまたはインデックスを含む。かかるスレッドには金属、例えばアルミニウムの層がコーティングされ、現在、米国の通貨で使用されているような離散的な金属の文字、またはドイツマルクのような通貨で現在使用されているようなネガ像または反転像の文字のいずれかをディスプレイしている。これらスレッドは透過光内で誰によっても視覚的に検出でき、スレッド上の導電性の特徴部の存在または不存在を検出する従来のスレッド検出器により機械検出可能である。
【０００６】
視覚的に検出可能な、または公開されたセキュリティ特徴部は必要で、かつ望ましいものであるが、見ることのできない、および／または隠された、機械で検査可能なセキュリティ特徴部を使用することによって、高度なセキュリティを提供できることはこれまで長く認識されて生きたことである。文書内に特定のセキュリティ特徴部が存在していることを偽造者が認識しない場合、その特徴部をコピーしようとする試みは行われない。
【０００７】
多数のセキュリティ検出特徴部、例えば金属製の特徴部と磁気特徴部を組み合わせて偽造をしにくくしようとするいくつかの試みがこれまでなされている。例えばＭＩＣＲ検出器によって読み取りできるグラフィックインデックスをプリントするために磁気インクを使用した場合、この磁気特徴部および金属製特徴部を容易に区別し、識別できる。偽造者であれば、これら磁気セキュリティ検出特徴部とセキュリティ検出特徴部との双方が使用されており、これらをコピーしなければならないことを認識できるはずである。
【発明の開示】
【発明が解決しようとする課題】
【０００８】
従って、高度のセキュリティを提供できるセキュリティ装置のニーズがある。
【０００９】
従って、本発明の目的は、かかるセキュリティ装置を提供することにある。
【００１０】
より特定の目的は、セキュリティ装置を見たときに一部を容易に区別できず、かつ認識できないような多数のセキュリティ検出特徴部、例えば金属および金属／磁気セキュリティ検出特徴部を有するセキュリティ装置を提供することにある。
【課題を解決するための手段】
【００１１】
従って、本発明は支持基板、例えば透明支持フィルムと、この支持基板に配置された多数のセキュリティ検出特徴部とを含む金属／磁気セキュリティ装置を提供するものである。
【００１２】
より詳細には、本発明の金属／磁気セキュリティ装置は、
（ａ）所定の長さを有する支持基板と、
（ｂ）前記支持基板の少なくとも１つの表面に配置されたセキュリティ検出特徴部とを備え、該セキュリティ検出特徴部は、
（ｉ）離散的金属／磁気インデックスと離散的金属または金属ドットから形成されたインデックスとの任意の繰り返しパターンと、
（ｉｉ）前記支持基板の長手方向に沿って延びる任意の少なくとも１つの金属ストリップと、
（ｉｉｉ）前記支持基板のストリップ１つの表面に形成された任意の複数の金属ドットとを含む。
本明細書で使用する「離散的」なる用語は、支持基板の表面に配置された隣の金属／磁気インデックスおよび／または金属または金属ドットで形成されたインデックスに直接接続されていないことを意味するものである。オプションの繰り返しパターンの離散的インデックスは、例えば基板の表面の長手方向に沿って延びる１つ以上の金属ストリップにより、隣のインデックスに間接的に接続することができることに留意されたい。
【００１３】
本発明の１つの特徴によれば、多層の金属／磁気ブロックまたは正方形状をした金属／磁気インデックスおよび金属の文字、番号および／または記号状をした金属または金属のドットで形成されたインデックスが、支持基板の少なくとも１つの表面に配置され、一方、第１および第２金属ストリップが支持基板の頂部および底部領域またはエッジに沿って延びる。
【００１４】
好ましい実施例では、多層の金属／磁気ブロックまたは正方形および金属の文字、番号および／または記号が前記支持基板の長手方向に沿って繰り返すあるパターンを形成している。
【００１５】
別の好ましい実施例では、基板の少なくとも１つの表面の金属のない他の部分に複数の密な金属ドットが直接形成されている。
【００１６】
本発明の別の特徴によれば、多層の金属／磁気文字、番号および／または記号状をした金属／磁気インデックスおよびネガ像または反転像のインデックスを含むブロックまたは正方形状をした金属または金属ドットで形成されたインデックスがキャリア基板の少なくとも１つに配置されている。
【００１７】
好ましい実施例では、多層の金属／磁気文字、番号および／または記号、およびネガ像または反転像のインデックスを含むブロックまたは正方形が支持基板の長手方向に沿って繰り返されるあるパターンを形成している。
【００１８】
本発明のセキュリティ装置の金属／磁気インデックスの一実施例は、金属層と磁気層とを含むことができる。金属／磁気インデックスの別の実施例は、第１金属層と、この第１金属層に配置された磁気層と、この磁気層に配置された第２金属層とを含む。
【００１９】
図面と共に次の詳細な説明を読めば、本発明の上記およびそれ以外の特徴および利点について更によく理解できよう。
【発明の効果】
【００２０】
従って、本発明のセキュリティ装置１０、２０は金属材料と磁気材料との組み合わせを使用して多数のセキュリティ検出特徴部を設けることにより、高度のセキュリティを提供できる。例えば視覚的なインデックスは公的なセキュリティ特徴部を提供する。金属ストリップ２０は機械で検出できるセキュリティ特徴部となり、他方、離散的金属／磁気インデックス２４、３４、金属／磁気インデックス２４、３４のパターン、および金属または金属ドットで形成されたインデックス２２、３２は、複数の金属ドット２６の他に機械によりデータを検出し、コード化し、読み取りできる能力を提供している。金属／磁気インデックス２４、３４は検出および偽造を防止するのに役立つよう、磁気セキュリティ特徴部を公的な視界から隠すようにも働くことができる。
【発明を実施するための最良の形態】
【００２１】
本発明に係わる図１の金属／磁気セキュリティ装置１０は、価値ある物品の上またはこの物品と組み合わせて使用され、この物品を認証したり、その物品に関係するデータをコード化し、その物品の偽造または不正なコピーを防止するようになっている。実施例ではセキュリティ装置１０はスレッド状になっており、この装置は銀行紙幣、通貨、パスポート、ビザ、権利書、免許、登録証、小切手、為替、原本、公正証書およびギフト券を含む（これだけに限定されるものではない）セキュリティ文書で使用できるようになっている。
【００２２】
このセキュリティ装置１０は感圧ラベル、ラベルに塗布された接着剤、モールド内ラベル、熱収縮ラベル、布製ラベル、引き裂きテープ、収縮キャップおよびカラーならびにステッカーを含む（これらだけに限定されるものではない）ラベル、タグ、製品包装紙またはパッケージ材料でも使用できる。
【００２３】
このセキュリティ装置１０は更にパスポート、ＩＤカード、アクセスカード、免許証およびクレジット／デビットカードを含む（これらだけに限定されるものではない）ラミネート製品と共に使用することもできる。更にこのセキュリティ装置１０はイベントチケット、乗り換えチケット、くじ引き券および入館証を含む（これらだけに限定されるものではない）チケットまたはパス内でも使用できる。
【００２４】
金属／磁気セキュリティ装置１０は表面１４を有する支持基板１２、例えば透明支持フィルムを含む。米国特許第5,486,022号には支持基板に対して使用できる材料の例が開示されており、この米国特許を本書で参考例として援用する。支持基板１２の少なくとも１つの表面１４には多数のセキュリティ検出特徴部が設けられている。これらセキュリティ検出特徴部は機械により、および／または視覚により検出することができ、セキュリティ装置１０に関連する物品を認証するようになっている。このセキュリティ検出特徴部の少なくとも一部を使ってセキュリティ装置１０が関連する物品に関するデータをコード化することもできる。
【００２５】
このセキュリティ装置１０のセキュリティ検出特徴部は基本的には離散的な金属／磁気インデックス２４と金属または金属ドットで形成されたインデックス２２との任意の繰り返しパターンを含む。このセキュリティ検出特徴部は支持基板１２の長手方向に沿って延びる少なくとも１つの金属ストリップ２０および／または支持基板１２の少なくとも１つの表面の金属のない部分に設けられた複数の金属ドット２６を含むこともできる。
【００２６】
離散的金属／磁気インデックス２４は任意のタイプの視覚的インデックス、例えば幾何学的形状（例えば正方形、長方形）、文字、番号、アルファニューメリックキャラクタ、図、物体、絵、非幾何学的形状、記号および同等物を含むことができる。
【００２７】
金属または金属ドットで形成されたインデックス２２を固体の金属インデックス２２として、ネガ像または反転像のインデックス２７を囲み、これを構成する金属領域２５によって形成されたネガ像または反転像のインデックス２３として、または図２に示されるように金属ドットのクラスター２２のいずれかのように形成できる。金属または金属ドットで形成されたインデックス２２は、任意のタイプの視覚的インデックス、例えば文字、番号、アルファニューメリックキャラクタ、図、物体、絵、形状、記号などを含むことができる。
【００２８】
本発明の１つの特徴によれば、図１に最良に示すように、多層、金属／磁気ブロックまたは正方形の形態をした離散的金属／磁気インデックス２４が、支持基板１２上の金属の文字状をした金属で構成されたインデックス２２と交互に配置されており、基板１２の長手方向に沿って繰り返しパターンを形成し、一方、基板１２の表面１４の頂部および底部領域、すなわちエッジに沿って第１金属ストリップ２０ａおよび第２金属ストリップ２０ｂが延びているい。本発明のこの１つの特徴によれば、基板１２の表面１４の金属のない部分に複数の金属ドット２６が設けられている。
【００２９】
一実施例では、金属／磁気インデックス２４は図１に示されるように金属ストリップ２０ａ、２０ｂと重ならないようになっている。別の実施例では、金属／磁気インデックス２４は図２に示されるように金属ストリップ２０ａ、２０ｂに部分的に重なり、および／または接触している。
【００３０】
本発明の金属／磁気セキュリティスレッド１０の別の実施例によれば、図２に最良に示されるように、金属ドットのクラスターによる金属の文字２２が形成される。
【００３１】
本発明の別の特徴によれば、図３に最良に示されるように、セキュリティ装置３０は多層状の離散的金属／磁気インデックス３４を含み、このインデックス３４は支持基板１２上にネガ像、すなわち反転像のインデックス３６を含むブロックまたは正方形をした金属から形成されたインデックス３２と交互に配置され、基板１２の長手方向に沿って繰り返しパターンを形成している。
【００３２】
一実施例では、図４に最良に示されるように、支持基板１２の少なくとも１つの表面１４に配置された金属層４０と、この層にほぼ同じように整合した金属層４０上に配置された磁気層４２とを含む２つの層として、多層の金属／磁気インデックス２４、３４が形成されている。「多数のセキュリティ特徴部を有するセキュリティ装置およびかかる装置を製造する方法」を発明の名称とする、米国特許出願第09/203,449号には、かかる多層の金属／磁気インデックス２４、３４を製造するための方法がより詳細に開示されており、本明細書ではこの米国特許出願全体を参考例として援用する。
【００３３】
別の実施例によれば、図５に最良に示されるように多層の金属／磁気インデックス２４、３４は磁気層４２に別の金属層４４が配置された３つの層を含む。「フォイルでカムフラージュされた磁気領域を有するセキュリティ装置およびかかる装置を製造する方法」を発明の名称とする米国特許出願第09/684,851号には、かかる多層の金属／磁気インデックス２４、３４を製造するための方法がより詳細に開示されており、本明細書では、この米国特許出願全体を参考例として援用する。
【００３４】
本発明のセキュリティ装置１０は米国特許出願第09/203,449号により詳細に開示されているように、金属の異なる導電特性および／または磁気材料の異なる磁気特性を使ってデータをコード化するのにセキュリティ特徴部を使用できる。本明細書では、この米国特許出願の全体を参考例として援用する。
【００３５】
当業者であれば、本発明の範囲内で変形および置換を行うことができることが理解できよう。
【図面の簡単な説明】
【００３６】
【図１】本発明の一実施例に係わる金属／磁気セキュリティ装置の平面図である。
【図２】本発明の別の実施例に係わる金属／磁気セキュリティ装置の平面図である。
【図３】本発明の更に別の実施例に係わる金属／磁気セキュリティ装置の平面図である。
【図４】一実施例に係わる本発明のセキュリティ装置の金属／磁気インデックスの横断面図である。
【図５】本発明の別の実施例に係わる本発明のセキュリティ装置の金属／磁気インデックスの横断面図である。
【符号の説明】
【００３７】
１０    セキュリティ装置
１２    支持基板
１４    表面
２０ａ、２０ｂ    金属ストリップ
２２    金属または金属ドットで形成されたインデックス
２３、２７    ネガ像または反転像インデックス
２４    金属／磁気インデックス
２５    金属領域
２６    金属ドット
３０    セキュリティ装置
３２    金属で形成されたインデックス
３４    金属／磁気インデックス
３６    ネガ像または反転像インデックス
３８    金属／磁気文字
４０    金属層
４２    磁気層
【図１】
2004532757.tif 000003
【図２】
2004532757.tif 000004
【図３】
2004532757.tif 000005
【図４】
2004532757.tif 000006
【図５】
2004532757.tif 000007
【国際公開パンフレット】
2004532757.tif 000008
2004532757.tif 000009
2004532757.tif 000010
2004532757.tif 000011
2004532757.tif 000012
2004532757.tif 000013
2004532757.tif 000014
2004532757.tif 000015
2004532757.tif 000016
2004532757.tif 000017
2004532757.tif 000018
2004532757.tif 000019
2004532757.tif 000020
【国際調査報告】
2004532757.tif 000021
2004532757.tif 000022
2004532757.tif 000023